【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
データを送信するためのウィンドウおよびデータを受信するためのウィンドウを示すあるインターバルに従って、Ｂｌｕｅｔｏｏｔｈ  Ｌｏｗ  Ｅｎｅｒｇｙプロトコル接続の１次データチャネルを介して、第１のデバイスにおいてワイヤレスパケットを受信することと、
前記１次データチャネルを介して、前記第１のデバイスにおいて、２次データチャネルを確立するための要求を受信することと、ここにおいて、前記２次データチャネルを確立するための前記要求は、第２のデバイスからのものであり、２次接続パラメータを含み、ここにおいて、前記２次接続パラメータはオフセットとサブインターバルとを含み、前記オフセットは前記１次データチャネル上のイベントに対するものであり、前記サブインターバルは前記インターバルに対するものであり、また前記インターバルより短く、前記イベントは、データを送信するための前記ウィンドウまたはデータを受信するための前記ウィンドウのうちの１つである、
前記第２のデバイスからの前記要求に応答して、前記第１のデバイスから前記第２のデバイスに確認応答メッセージを送ることと、
前記確認応答メッセージに応答して、また前記２次接続パラメータに従って、前記第２のデバイスから前記第１のデバイスにおいて、２次データチャネルを介してワイヤレスパケットを受信することと、ここにおいて、前記２次接続パラメータは、２次ホップ値をさらに備え、ここにおいて、前記２次データチャネルを介して前記ワイヤレスパケットを受信することは、新たなチャネル番号を生成することを備える前記２次ホップ値に基づいた２次データチャネルホッピングを含み、ここにおいて、前記新たなチャネル番号を前記生成することは、前記１次データチャネル上における前記イベントのｎ回目の反復に、またイベントカウントに対応するように構成され、ここにおいて、前記イベントカウントは、前記１次データチャネル上におけるイベントごとに、また２次データチャネルイベントごとに増分される、
を備える方法。
【請求項２】
前記第１のデバイスが前記２次データチャネルを確立するための前記要求を受信するより前に、
前記第１のデバイスが、前記１次データチャネルを介して、前記２次データチャネルを確立するための早期の要求を前記第２のデバイスに送ることをさらに備え、
ここにおいて、前記２次データチャネルを確立するための前記要求は、前記２次データチャネルを確立するための前記早期の要求に応答するものである、請求項１に記載の方法。
【請求項３】
前記２次データチャネルはＢｌｕｅｔｏｏｔｈ  Ｌｏｗ  Ｅｎｅｒｇｙプロトコル接続であり、前記サブインターバルはＢｌｕｅｔｏｏｔｈ  Ｌｏｗ  Ｅｎｅｒｇｙプロトコル接続インターバルである、請求項２に記載の方法。
【請求項４】
前記１次データチャネルを介して、前記第１のデバイスにおいて前記ワイヤレスパケットを受信することにおいて、前記第１のデバイスはマスタデバイスである、請求項２に記載の方法。
【請求項５】
前記２次データチャネルを確立するための前記早期の要求は、前記２次データチャネルを確立するための前記要求に対する要求である、請求項４に記載の方法。
【請求項６】
前記第１のデバイスにおいて前記ワイヤレスパケットを受信することは、１次ホップ値に従うホッピングを有するワイヤレスパケットを受信することを含み、ここにおいて、前記第２のデバイスから前記第１のデバイスにおいて、前記２次データチャネルを介して前記ワイヤレスパケットを受信することは、前記１次ホップ値および前記２次ホップ値に基づいた２次データチャネルホッピングである前記ワイヤレスパケットを受信することを含む、請求項５に記載の方法。
【請求項７】
前記２次データチャネルはＢｌｕｅｔｏｏｔｈ  Ｌｏｗ  Ｅｎｅｒｇｙプロトコル接続であり、前記サブインターバルはＢｌｕｅｔｏｏｔｈ  Ｌｏｗ  Ｅｎｅｒｇｙプロトコル接続インターバルである、請求項１に記載の方法。
【請求項８】
ワイヤレス通信のための方法であって、
第１のデバイスにおいてパケットを受信することと、ここにおいて、前記パケットは、第２のデバイスからのものであり、データを送信するためのウィンドウおよびデータを受信するためのウィンドウを示すあるインターバルに従ってＢｌｕｅｔｏｏｔｈ  Ｌｏｗ  Ｅｎｅｒｇｙプロトコル接続の１次データチャネルを介して受信される、
前記１次データチャネルを介して、前記第１のデバイスから前記第２のデバイスに、２次データチャネルを確立するための要求を送ることと、ここにおいて、２次データチャネルを確立するための前記要求は２次接続パラメータを含み、ここにおいて、前記２次接続パラメータはオフセットとサブインターバルとを含み、前記オフセットは前記１次データチャネル上のパケットイベントに対するものであり、前記サブインターバルは前記インターバルに対するものであり、また前記インターバルより短く、前記パケットイベントは、データを送信するための前記ウィンドウまたはデータを受信するための前記ウィンドウのうちの１つである、
前記第１のデバイスにおいて確認応答メッセージを受信することと、ここにおいて、前記確認応答メッセージは前記第２のデバイスからのものであり、ここにおいて、前記確認応答メッセージは、前記２次データチャネルを確立するための前記要求を前記第２のデバイスが受信したことを示す、
前記確認応答メッセージを受信することに応答して、前記第１のデバイスから前記第２のデバイスに、前記２次データチャネルを介してパケットを送ることと、ここにおいて、前記２次データチャネルを介してパケットを前記送ることは、前記２次接続パラメータに従うものであり、ここにおいて、前記２次接続パラメータは、２次ホップ値をさらに備え、ここにおいて、前記第１のデバイスが前記２次データチャネルを介して前記第２のデバイスにパケットを送ることは、新たなチャネル番号を生成することを備える前記２次ホップ値に基づいた２次データチャネルホッピングを含み、ここにおいて、前記新たなチャネル番号を前記生成することは、前記１次データチャネル上における前記パケットイベントのｎ回目の反復に、またイベントカウントに対応するように構成され、ここにおいて、前記イベントカウントは、前記１次データチャネル上におけるパケットイベントごとに、また２次データチャネルイベントごとに増分される、
を備える方法。
【請求項９】
前記２次データチャネルはＢｌｕｅｔｏｏｔｈ  Ｌｏｗ  Ｅｎｅｒｇｙプロトコル接続であり、前記サブインターバルはＢｌｕｅｔｏｏｔｈ  Ｌｏｗ  Ｅｎｅｒｇｙプロトコル接続インターバルである、請求項８に記載の方法。
【請求項１０】
前記サブインターバルは前記インターバルの約数であり、ここにおいて、前記２次データチャネルを介してパケットを前記送ることは、前記第１のデバイスが第１のパケットを送ることと、前記第１のデバイスが第２のパケットを送ることとを含み、ここにおいて、前記第１のパケットは、前記１次データチャネル上の前記パケットイベントから前記オフセットだけ離間され、ここにおいて、前記第２のパケットは、前記１次データチャネル上の前記パケットイベントから、前記サブインターバルの２つ分、離間される、請求項８に記載の方法。
【請求項１１】
前記１次データチャネルはチャネルホッピングを含み、ここにおいて、前記チャネルホッピングは１次ホップ値に従うものであり、ここにおいて、前記第１のデバイスが前記２次データチャネルを介して前記第２のデバイスにパケットを送ることは、前記１次ホップ値および前記２次ホップ値に基づいた前記２次データチャネルホッピングを含む、請求項８に記載の方法。
【請求項１２】
前記第１のデバイスが前記２次データチャネルを介して前記第２のデバイスにパケットを送ることは、前記サブインターバルだけ離間された２次データチャネルイベントに従うものである、請求項１１に記載の方法。
【請求項１３】
前記イベントカウントは、パケットイベントごとに増分されるとき、ゼロ値にロールオーバーする、請求項１２に記載の方法。
【請求項１４】
前記新たなチャネル番号を前記生成することは、積を得るために前記イベントカウントに前記２次ホップ値を乗算し、和を得るために前記積を前記１次ホップ値に加算し、前記和のｍｏｄｕｌｏ  ３７除算として前記新たなチャネル番号を生成することを含む、請求項１３に記載の方法。
【請求項１５】
前記パケットが前記１次データチャネルを介して前記第２のデバイスから前記第１のデバイスにおいて受信されることはキーによる暗号化を含み、ここにおいて、前記方法は、前記第１のデバイスが暗号化されたパケットを生成するためにパケットを暗号化することをさらに備え、ここにおいて、前記２次データチャネルを介してパケットを前記送ることは前記暗号化されたパケットを送ることを含み、ここにおいて、前記第１のデバイスがパケットを暗号化することは、前記キーを使用することを含み、またナンスを増分することを含む、請求項８に記載の方法。
【請求項１６】
ワイヤレス通信のための方法であって、
データを送信するためのウィンドウおよびデータを受信するためのウィンドウを示すあるインターバルに従って、Ｂｌｕｅｔｏｏｔｈ  Ｌｏｗ  Ｅｎｅｒｇｙプロトコル接続の１次データチャネルを介して、第１のデバイスと第２のデバイスとの間でパケットを通信することと、
前記第１のデバイスが、前記１次データチャネルを介して、前記第２のデバイスから要求を受信することと、ここにおいて、前記第２のデバイスからの前記要求は２次データチャネルを確立することであり、ここにおいて、前記第２のデバイスからの前記要求は２次接続パラメータを含み、ここにおいて、前記２次接続パラメータはオフセットとサブインターバルとを含み、前記オフセットは前記１次データチャネル上のパケットイベントに対するものであり、前記サブインターバルは前記インターバルに対するものであり、また前記インターバルより短く、前記パケットイベントは、データを送信するための前記ウィンドウまたはデータを受信するための前記ウィンドウのうちの１つである、
前記第１のデバイスが前記第２のデバイスに確認応答メッセージを送ることと、ここにおいて、前記第２のデバイスに確認応答メッセージを送ることは、前記第２のデバイスから前記要求を受信することに応答するものである、
前記確認応答メッセージを受信することに応答して、前記第２のデバイスが前記２次データチャネルを介して前記第１のデバイスにパケットを送ることと、ここにおいて、前記２次データチャネルを介して前記第１のデバイスに前記パケットを前記送ることは、前記２次接続パラメータに従うものであり、ここにおいて、前記２次接続パラメータは、２次ホップ値をさらに備え、ここにおいて、前記第２のデバイスが前記２次データチャネルを介して前記第１のデバイスにパケットを送ることは、新たなチャネル番号を生成することを備える前記２次ホップ値に基づいた２次データチャネルホッピングを含み、ここにおいて、前記新たなチャネル番号を前記生成することは、前記１次データチャネル上における前記パケットイベントのｎ回目の反復に、またイベントカウントに対応するように構成され、ここにおいて、前記イベントカウントは、前記１次データチャネル上におけるパケットイベントごとに、また２次データチャネルイベントごとに増分される、
を備える方法。
【請求項１７】
前記サブインターバルは前記インターバルの約数であり、ここにおいて、前記２次データチャネルを介して、前記第１のデバイスから前記第２のデバイスにパケットを前記送ることは、２次データチャネルの第１のパケットを送ることと、２次データチャネルの第２のパケットを送ることとを含み、ここにおいて、前記２次データチャネルの第１のパケットは、前記１次データチャネル上の前記パケットイベントから前記オフセットだけ離間され、ここにおいて、前記２次データチャネルの第２のパケットは、前記１次データチャネル上の前記パケットイベントから２つのサブインターバル分、離間される、請求項１６に記載の方法。
【請求項１８】
前記１次データチャネルは１次ホップ値に従うチャネルホッピングを含み、ここにおいて、前記第２のデバイスが前記２次データチャネルを介して前記第１のデバイスと通信することは、前記１次ホップ値および前記２次ホップ値に基づいた前記２次データチャネルホッピングを含む、請求項１６に記載の方法。
【請求項１９】
前記１次データチャネル上の前記パケットイベントは前記インターバルに従って反復し、ここにおいて、前記第１のデバイスに前記２次データチャネルを介して前記パケットを前記送ることは、送信が開始を有することを備え、ここにおいて、前記開始は２次データチャネルイベントである、請求項１８に記載の方法。
【請求項２０】
前記イベントカウントは、パケットイベントごとに増分されるとき、ゼロ値にロールオーバーする、請求項１９に記載の方法。
【請求項２１】
前記新たなチャネル番号を前記生成することは、積を得るために前記イベントカウントに前記２次ホップ値を乗算し、和を得るために前記積を前記１次ホップ値に加算し、前記和のｍｏｄｕｌｏ  ３７除算として前記新たなチャネル番号を生成することを含む、請求項２０に記載の方法。
【請求項２２】
前記第１のデバイスが前記２次データチャネルを確立するために前記第２のデバイスから前記要求を受信するより前に、
前記第１のデバイスが、前記１次データチャネルを介して、２次データチャネルを確立するための早期の要求を前記第２のデバイスに送ることと、
前記第２のデバイスが、２次データチャネルを確立するための前記早期の要求を受信することに応答して、前記１次データチャネルを介して、前記第１のデバイスによって受信された前記要求を前記第１のデバイスに送ることと、
をさらに備える請求項１６に記載の方法。
【請求項２３】
前記１次データチャネルを介した前記通信はキーによる暗号化を含み、ここにおいて、前記方法は、前記第２のデバイスが２次データチャネルパケットを暗号化することをさらに備え、ここにおいて、前記２次データチャネルパケットを暗号化することは前記キーを使用する、請求項１６に記載の方法。
【請求項２４】
前記２次データチャネルはＢｌｕｅｔｏｏｔｈ  Ｌｏｗ  Ｅｎｅｒｇｙチャネルである、請求項１６に記載の方法。
【請求項２５】
前記２次データチャネルは第１の２次データチャネルであり、ここにおいて、前記確認応答メッセージは第１の確認応答であり、ここにおいて、２次データチャネルパラメータは第１の２次データチャネルパラメータであり、ここにおいて、前記２次データチャネルを確立するための前記要求は、第１の２次データチャネルを確立するための第１の要求であり、ここにおいて、前記方法は、
前記第１のデバイスが、前記第２のデバイスから、第２の２次データチャネルを確立するための第２の要求を受信することと、ここにおいて、前記第２の２次データチャネルを確立するための前記第２の要求は第２の２次データチャネル接続パラメータを有する、
前記第１のデバイスが前記第２のデバイスに第２の確認応答を送ることと、ここにおいて、前記第１のデバイスが前記第２のデバイスに前記第２の確認応答を送ることは、前記２次データチャネルを確立するための前記第２の要求を受信することに応答するものである、
前記第２のデバイスが第２の２次データチャネルパケットを送ることと、ここにおいて、前記第２のデバイスが前記第２の２次データチャネルパケットを送ることは、前記第２の２次データチャネルを介するものであり、ここにおいて、前記第２のデバイスが前記第２の２次データチャネルパケットを送ることは、前記第２の２次データチャネル接続パラメータに従うものである、
をさらに備える、請求項１６に記載の方法。
【請求項２６】
ワイヤレス通信のためのシステムであって、
データを送信するためのウィンドウおよびデータを受信するためのウィンドウを示すあるインターバルに従って、Ｂｌｕｅｔｏｏｔｈ  Ｌｏｗ  Ｅｎｅｒｇｙプロトコル接続の１次データチャネルを介して、第１のデバイスと第２のデバイスとの間でパケットを通信するための手段と、
前記第２のデバイスから前記１次データチャネルを介して、前記第１のデバイスにおいて、Ｂｌｕｅｔｏｏｔｈ  Ｌｏｗ  Ｅｎｅｒｇｙプロトコル接続の２次データチャネルを確立するための要求を受信するための手段と、前記２次データチャネルを確立するための前記要求は２次接続パラメータを含み、ここにおいて、前記２次接続パラメータはオフセットとサブインターバルとを含み、前記オフセットは前記１次データチャネル上のパケットイベントに対するものであり、前記サブインターバルは前記インターバルに対するものであり、また前記インターバルより短く、前記パケットイベントは、データを送信するための前記ウィンドウまたはデータを受信するための前記ウィンドウのうちの１つである、
前記第２のデバイスからの前記要求に応答して、前記第１のデバイスから前記第２のデバイスに確認応答メッセージを送るための手段と、
前記確認応答メッセージを受信することに応答して、前記第２のデバイスから前記第１のデバイスにパケットを送るための手段と、ここにおいて、パケットを前記送ることは、前記２次接続パラメータに従うものであり、ここにおいて、前記２次接続パラメータは、２次ホップ値をさらに備え、ここにおいて、前記２次データチャネルを介してパケットを前記送ることは、新たなチャネル番号を生成することを備える前記２次ホップ値に基づいた２次データチャネルホッピングを含み、ここにおいて、前記新たなチャネル番号を前記生成することは、前記１次データチャネル上における前記パケットイベントのｎ回目の反復に、またイベントカウントに対応するように構成され、ここにおいて、前記イベントカウントは、前記１次データチャネル上におけるパケットイベントごとに、また２次データチャネルイベントごとに増分される、
を備えるシステム。
【請求項２７】
前記サブインターバルは前記インターバルの約数であり、ここにおいて、前記第１のデバイスに前記パケットを前記送ることは、２次データチャネルの第１のパケットを送ることと、２次データチャネルの第２のパケットを送ることとを含み、ここにおいて、前記２次データチャネルの第１のパケットは、前記１次データチャネル上の前記パケットイベントから前記オフセットだけ離間され、
前記確認応答メッセージを受信することに応答して、前記第２のデバイスから前記第１のデバイスにパケットを前記送るための前記手段は、前記１次データチャネル上の前記パケットイベントから２つのサブインターバルだけ離間された前記２次データチャネルの第２のパケットを送るように構成される、請求項２６に記載のシステム。
【請求項２８】
前記１次データチャネルは１次ホップ値に従うチャネルホッピングを含み、ここにおいて、前記第２のデバイスが前記２次データチャネルを介して前記第１のデバイスと通信することは、前記１次ホップ値および前記２次ホップ値に基づいた前記２次データチャネルホッピングを含む、請求項２６に記載のシステム。
【請求項２９】
前記１次データチャネル上の前記パケットイベントは前記インターバルに従って反復し、ここにおいて、前記第１のデバイスに前記パケットを前記送ることは、送信が開始を有することを備え、ここにおいて、前記開始は２次データチャネルイベントである、請求項２６に記載のシステム。
【請求項３０】
前記イベントカウントは、パケットイベントごとに増分されるとき、ゼロ値にロールオーバーする、請求項２９に記載のシステム。
【手続補正２】
【補正対象書類名】明細書
【補正対象項目名】００８４
【補正方法】変更
【補正の内容】
【００８４】
[0087]上述の開示は、開示された例示的実施形態を示すが、様々な変形形態および変更形態が、添付の特許請求の範囲によって定義される本発明の範囲から逸脱することなく本明細書において作成可能であることに留意すべきである。本明細書で説明された態様による方法クレームの機能、ステップおよび／または活動は、任意の特定の順序で実施されなくてもよい。さらに、開示された要素は、単数で記載または請求される場合があるが、単数に限定することが明示的に表明されていない場合、複数が検討される。
以下に本願の出願当初の特許請求の範囲に記載された発明を付記する。
［Ｃ１］
ワイヤレス通信のための方法であって、
あるインターバルに従って、１次データチャネルを介して、第１のデバイスにおいてワイヤレスパケットを受信することと、
前記１次データチャネルを介して、前記第１のデバイスにおいて、２次データチャネルを確立するための要求を受信することと、ここにおいて、前記２次データチャネルを確立するための前記要求は、第２のデバイスからのものであり、２次接続パラメータを含み、ここにおいて、前記２次接続パラメータはオフセットとサブインターバルとを含み、ここにおいて、前記オフセットは前記１次データチャネル上のイベントに対するものであり、前記サブインターバルは前記インターバルに対するものである、
前記第２のデバイスからの前記要求に応答して、前記第１のデバイスから前記第２のデバイスに確認応答メッセージを送ることと、
前記確認応答メッセージに応答して、また前記２次接続パラメータに従って、前記第２のデバイスから前記第１のデバイスにおいて、２次データチャネルを介してワイヤレスパケットを受信することとを備える方法。
［Ｃ２］
前記第１のデバイスが２次データチャネルを確立するための前記要求を受信するより前に、
前記第１のデバイスが、前記１次データチャネルを介して、前記２次データチャネルを確立するための早期の要求を前記第２のデバイスに送ることをさらに備え、
ここにおいて、前記２次データチャネルを確立するための前記要求は、前記２次データチャネルを確立するための前記早期の要求に応答するものである、Ｃ１に記載の方法。
［Ｃ３］
前記１次データチャネルはＢｌｕｅｔｏｏｔｈ（登録商標）  Ｌｏｗ  Ｅｎｅｒｇｙプロトコル接続であり、前記インターバルはＢｌｕｅｔｏｏｔｈ  Ｌｏｗ  Ｅｎｅｒｇｙプロトコル接続インターバルである、Ｃ２に記載の方法。
［Ｃ４］
前記１次データチャネルを介して、前記第１のデバイスにおいてワイヤレスパケットを受信することにおいて、前記第１のデバイスはマスタデバイスである、Ｃ２に記載の方法。
［Ｃ５］
前記２次データチャネルを確立するための前記早期の要求は、前記２次データチャネルを確立するための前記要求に対する要求である、Ｃ４に記載の方法。
［Ｃ６］
前記第１のデバイスにおいてワイヤレスパケットを受信することは、１次ホップ値に従うホッピングを有するワイヤレスパケットを受信することを含み、ここにおいて、前記２次接続パラメータは２次ホップ値をさらに含み、ここにおいて、前記第２のデバイスから前記第１のデバイスにおいて、前記２次データチャネルを介してワイヤレスパケットを受信することは、前記第１のホップ値および前記第２のホップ値に基づいた２次データチャネルホッピングである前記ワイヤレスパケットを受信することを含む、Ｃ５に記載の方法。
［Ｃ７］
前記１次データチャネルはＢｌｕｅｔｏｏｔｈ  Ｌｏｗ  Ｅｎｅｒｇｙプロトコル接続であり、前記インターバルはＢｌｕｅｔｏｏｔｈ  Ｌｏｗ  Ｅｎｅｒｇｙプロトコル接続インターバルである、Ｃ１に記載の方法。
［Ｃ８］
ワイヤレス通信のための方法であって、
第１のデバイスにおいてパケットを受信することと、ここにおいて、前記パケットは、第２のデバイスからのものであり、あるインターバルに従って１次データチャネルを介して受信される、
前記１次データチャネルを介して、前記第１のデバイスから前記第２のデバイスに、２次データチャネルを確立するための要求を送ることと、ここにおいて、前記２次データチャネルを確立するための前記要求は２次接続パラメータを含み、ここにおいて、前記２次接続パラメータはオフセットとサブインターバルとを含み、ここにおいて、前記オフセットは前記１次データチャネル上のパケットイベントに対するものであり、ここにおいて、前記サブインターバルは前記インターバルに対するものである、
前記第１のデバイスにおいて確認応答メッセージを受信することと、ここにおいて、前記確認応答メッセージは前記第２のデバイスからのものであり、ここにおいて、前記確認応答メッセージは、前記２次データチャネルを確立するための前記要求を前記第２のデバイスが受信したことを示す、
前記確認応答メッセージを受信することに応答して、前記第１のデバイスから前記第２のデバイスに、前記２次データチャネルを介してパケットを送ることと、ここにおいて、前記２次データチャネルを介してパケットを送ることは、前記２次接続パラメータに従うものである、を備える方法。
［Ｃ９］
前記１次データチャネルはＢｌｕｅｔｏｏｔｈ  Ｌｏｗ  Ｅｎｅｒｇｙプロトコル接続であり、前記インターバルはＢｌｕｅｔｏｏｔｈ  Ｌｏｗ  Ｅｎｅｒｇｙプロトコル接続インターバルである、Ｃ８に記載の方法。
［Ｃ１０］
前記サブインターバルは前記インターバルの約数であり、ここにおいて、前記２次データチャネルを介してパケットを送ることは、前記第１のデバイスが第１のパケットを送ることと、前記第１のデバイスが第２のパケットを送ることとを含み、ここにおいて、前記第１のパケットは、前記１次データチャネル上の前記パケットイベントから前記オフセットだけ離間され、ここにおいて、前記第２のパケットは、前記１次データチャネル上の前記パケットイベントから、前記サブインターバルの２つ分、離間される、Ｃ８に記載の方法。
［Ｃ１１］
前記１次データチャネルはチャネルホッピングを含み、ここにおいて、前記チャネルホッピングは１次ホップ値に従うものであり、ここにおいて、前記２次接続パラメータは２次ホップ値をさらに備え、ここにおいて、前記第１のデバイスが前記２次データチャネルを介して前記第２のデバイスにパケットを送ることは、前記第１のホップ値および前記第２のホップ値に基づいた２次データチャネルホッピングを含む、Ｃ８に記載の方法。
［Ｃ１２］
前記第１のデバイスが前記２次データチャネルを介して前記第２のデバイスにパケットを送ることは、前記サブインターバルだけ離間された２次データチャネルイベントに従うものであり、ここにおいて、前記２次データチャネルホッピングは新たなチャネル番号を生成することを備え、ここにおいて、前記新たなチャネル番号を生成することは、前記１次データチャネルイベント上における前記パケットイベントのｎ回目の反復に、またイベントカウントに対応するように構成され、ここにおいて、前記イベントカウントは前記１次チャネル上におけるパケットイベントごとに、また２次データチャネルイベントごとに増分される、Ｃ１１に記載の方法。
［Ｃ１３］
前記イベントカウントは、パケットイベントごとに増分されるとき、ゼロ値にロールオーバーする、Ｃ１２に記載の方法。
［Ｃ１４］
前記新たなチャネルを生成することは、積を得るために前記イベントカウントに前記第２のホップ値を乗算し、和を得るために前記積を前記第１のホップ値に加算し、前記和のｍｏｄｕｌｏ  ３７除算として前記新たなチャネル番号を生成することを含む、Ｃ１３に記載の方法。
［Ｃ１５］
前記パケットが前記１次データチャネルを介して前記第２のデバイスから前記第１のデバイスにおいて受信されることはキーによる暗号化を含み、ここにおいて、前記方法は、前記第１のデバイスが暗号化されたパケットを生成するためにパケットを暗号化することをさらに備え、ここにおいて、前記２次データチャネルを介してパケットを送ることは前記暗号化されたパケットを送ることを含み、ここにおいて、前記第１のデバイスがパケットを暗号化することは、前記キーを使用することを含み、またナンスを増分することを含む、Ｃ８に記載の方法。
［Ｃ１６］
ワイヤレス通信のための方法であって、
あるインターバルに従って、１次データチャネルを介して、第１のデバイスと第２のデバイスとの間でパケットを通信することと、
前記第１のデバイスが、前記１次データチャネルを介して、前記第２のデバイスから要求を受信することと、ここにおいて、前記第２のデバイスからの前記要求は２次データチャネルを確立することであり、ここにおいて、前記第２のデバイスからの前記要求は２次接続パラメータを含み、ここにおいて、前記２次接続パラメータはオフセットとサブインターバルとを含み、ここにおいて、前記オフセットは前記１次データチャネル上のパケットイベントに対するものであり、ここにおいて、サブインターバルは前記インターバルに対するものである、
前記第１のデバイスが前記第２のデバイスに確認応答メッセージを送ることと、ここにおいて、前記第２のデバイスに確認応答メッセージを送ることは、前記第２のデバイスから前記要求を受信することに応答するものである、
前記確認応答メッセージを受信することに応答して、前記第２のデバイスが前記２次データチャネルを介して前記第１のデバイスにパケットを送ることと、ここにおいて、前記２次データチャネルを介して前記第１のデバイスに前記パケットを送ることは、前記２次接続パラメータに従うものである、を備える方法。
［Ｃ１７］
前記サブインターバルは前記インターバルの約数であり、ここにおいて、前記２次データチャネルパケットを介して、前記第１のデバイスから前記第１のデバイスに前記パケットを送ることは、２次データチャネルの第１のパケットを送ることと、２次データチャネルの第２のパケットを送ることとを含み、ここにおいて、前記２次データチャネルの第１のパケットは、前記１次データチャネル上の前記パケットイベントから前記オフセットだけ離間され、ここにおいて、前記２次データチャネルの第２のパケットは、前記１次データチャネル上の前記パケットイベントから２つのサブインターバル分、離間される、Ｃ１６に記載の方法。
［Ｃ１８］
前記１次データチャネルは１次ホップ値に従うチャネルホッピングを含み、ここにおいて、前記２次接続パラメータは２次ホップ値をさらに備え、ここにおいて、前記第２のデバイスが前記２次データチャネルを介して前記第１のデバイスとワイヤレス通信することは、前記第１のホップ値および前記第２のホップ値に基づいた２次データチャネルホッピングを含む、Ｃ１６に記載の方法。
［Ｃ１９］
前記１次データチャネル上の前記パケットイベントは前記インターバルに従って反復し、ここにおいて、前記第１のデバイスに２次データチャネルパケットを送ることは、送信が開始を有することを備え、ここにおいて、前記開始は２次データチャネルイベントであり、ここにおいて、前記２次データチャネルホッピングは、前記１次データチャネルイベントのｎ回目の反復およびイベントカウントに対応する新たなチャネル番号を生成することと、１次チャネルイベントごとおよび２次データチャネルイベントごとに前記イベントカウントを増分することとを備える、Ｃ１８に記載の方法。
［Ｃ２０］
前記イベントカウントは、パケットイベントごとに増分されるとき、ゼロ値にロールオーバーする、Ｃ１９に記載の方法。
［Ｃ２１］
前記新たなチャネルを生成することは、積を得るために前記イベントカウントに前記第２のホップ値を乗算し、和を得るために前記積を前記第１のホップ値に加算し、前記和のｍｏｄｕｌｏ  ３７除算として前記新たなチャネル番号を生成することを含む、Ｃ２０に記載の方法。
［Ｃ２２］
前記第１のデバイスが前記２次データチャネルを確立するために前記第２のデバイスから前記要求を受信するより前に、
前記第１のデバイスが、前記１次データチャネルを介して、２次データチャネルを確立するための早期の要求を前記第２のデバイスに送ることと、
前記第２のデバイスが、２次データチャネルを確立するための前記早期の要求を受信することに応答して、前記１次データチャネルを介して、前記第１のデバイスによって受信された前記要求を前記第１のデバイスに送ることと、をさらに備えるＣ１６に記載の方法。
［Ｃ２３］
前記１次データチャネルを介した前記通信はキーによる暗号化を含み、ここにおいて、前記方法は、前記第２のデバイスが前記２次データチャネルパケットを暗号化することをさらに備え、ここにおいて、前記２次データチャネルパケットを暗号化することは前記キーを使用する、Ｃ１６に記載の方法。
［Ｃ２４］
前記１次データチャネルはＢｌｕｅｔｏｏｔｈ  Ｌｏｗ  Ｅｎｅｒｇｙチャネルである、Ｃ１６に記載の方法。
［Ｃ２５］
前記２次データチャネルは第１の２次データチャネルであり、ここにおいて、前記確認応答は第１の確認応答であり、ここにおいて、前記２次データチャネルパラメータは第１の２次データチャネルパラメータであり、ここにおいて、前記２次データを確立するための前記要求は、２次データチャネルを確立するための第１の要求であり、ここにおいて、前記方法は、
前記第１のデバイスが、前記第２のデバイスから、第２の２次データチャネルを確立するための第２の要求を受信することと、ここにおいて、２次データチャネルを確立するための前記第２の要求は第２の２次データチャネル接続パラメータを有する、
前記第１のデバイスが前記第２のデバイスに第２の確認応答を送ることと、ここにおいて、前記第１のデバイスが前記第２のデバイスに第２の確認応答を送ることは、２次データチャネルを確立するための前記第２の要求を受信することに応答するものである、
前記第２のデバイスが第２の２次データチャネルパケットを送ることと、ここにおいて、前記第２のデバイスが第２の２次データチャネルパケットを送ることは、第２の２次データチャネルを介するものであり、ここにおいて、前記第２のデバイスが第２の２次データチャネルパケットを送ることは、前記第２の２次データチャネル接続パラメータに従うものである、をさらに備える、Ｃ１６に記載の方法。
［Ｃ２６］
ワイヤレス通信のためのシステムであって、
あるインターバルに従って、１次データチャネルを介して、第１のデバイスと第２のデバイスとの間でパケットを通信するための手段と、
前記第２のデバイスから前記１次データチャネルを介して、前記第１のデバイスにおいて、２次データチャネルを確立するための要求を受信するための手段と、前記２次データチャネルを確立するための前記要求は２次接続パラメータを含み、ここにおいて、前記２次はオフセットとインターバルとを含み、ここにおいて、前記オフセットは前記１次データチャネル上のイベントに対するものであり、前記サブインターバルは前記インターバルに対するものである、
前記第２のデバイスからの前記要求に応答して、前記第１のデバイスから前記第２のデバイスに確認応答メッセージを送るための手段と、
前記確認応答メッセージを受信することに応答して、前記第２のデバイスから前記第１のデバイスにパケットを送るための手段と、ここにおいて、前記パケットを送ることは、前記２次接続パラメータに従うものである、を備えるシステム。
［Ｃ２７］
前記サブインターバルは前記インターバルの約数であり、ここにおいて、前記第１のデバイスに前記２次データチャネルパケットを送ることは、２次データチャネルの第１のパケットを送ることと、２次データチャネルの第２のパケットを送ることとを含み、ここにおいて、前記２次データチャネルの第１のパケットは、前記１次データチャネル上の前記パケットイベントから前記オフセットだけ離間され、
前記確認応答メッセージを受信することに応答して、前記第２のデバイスから前記第１のデバイスにパケットを送るための前記手段は、前記１次データチャネル上の前記パケットイベントから２つのサブインターバルだけ離間された前記２次データチャネルの第２のパケットを送るように構成される、Ｃ２６に記載のシステム。
［Ｃ２８］
前記１次データチャネルは１次ホップ値に従うチャネルホッピングを含み、ここにおいて、前記２次接続パラメータは２次ホップ値をさらに備え、ここにおいて、前記第２のデバイスが前記２次データチャネルを介して前記第１のデバイスとワイヤレス通信することは、前記１次ホップ値および前記２次ホップ値に基づいた２次データチャネルホッピングを含む、Ｃ２６に記載のシステム。
［Ｃ２９］
前記１次データチャネル上の前記パケットイベントは前記インターバルに従って反復し、ここにおいて、前記第１のデバイスに２次データチャネルパケットを送ることは、送信が開始を有することを備え、ここにおいて、前記開始は２次データチャネルイベントであり、ここにおいて、前記２次データチャネルホッピングは、前記１次データチャネルイベントのｎ回目の反復およびイベントカウントに対応する新たなチャネル番号を生成することと、１次チャネルイベントおよび２次データチャネルイベントごとに前記イベントカウントを増分することとを備える、Ｃ２６に記載のシステム。
［Ｃ３０］
前記イベントカウントは、パケットイベントごとに増分されるとき、ゼロ値にロールオーバーする、Ｃ２９に記載のシステム。